(57)【特許請求の範囲】
【請求項１】
エンジン及びハンドルを備える機体と、
エンジン動力で回転駆動される車軸と、
車軸に設けられる複数の耕耘爪と、
耕耘爪の上方を覆うフェンダと
を備える車軸耕耘型管理機であって、
前記耕耘爪の後方を、上端側を支点として上下回動するカバー体で覆い、
該カバー体を左右に分割すると共に、左右のカバー体を独立して回動させるにあたり、
前記左右のカバー体の外端側を、上側ほど外側に傾く基準線に沿って後方に湾曲させることを特徴とする車軸耕耘型管理機。
【発明の詳細な説明】
【技術分野】
【０００１】
本発明は、車軸に複数の耕耘軸を備える車軸耕耘型管理機に関する。
【背景技術】
【０００２】
従来から、機体前部に搭載されるエンジンと、機体後部から後ろ上方に延出されるハンドルと、エンジン動力で回転駆動される車軸と、車軸に設けられる複数の耕耘爪と、耕耘爪の上方を覆うフェンダとを備える車軸耕耘型管理機が知られている（例えば、特許文献１〜３参照）。
【０００３】
特許文献１〜３に記載される車軸耕耘型管理機では、耕耘爪の後方が開放されているが、耕耘爪の後方を覆うカバー体が備えられた車軸耕耘型管理機も提案されてきており、このような車軸耕耘型管理機によれば、耕耘爪が跳ね上げる泥や石から作業者の足元部を保護することが可能になる。
【特許文献１】実開昭５９−１１７３０８号公報
【特許文献２】特開２００１−３２０９０２号公報
【特許文献３】特開２００２−２２００７０号公報
【発明の開示】
【発明が解決しようとする課題】
【０００４】
ところで、耕耘爪の後方を覆うカバー体は、耕深の変化などに追従するために、上端側を支点として上下回動自在であることが好ましいが、このようなカバー体は、機体を左右方向に傾けながら耕耘作業をした場合に、傾き方向の外端位置を基準として必要以上に上方に回動し、足元保護部材としての機能が低下するという問題がある。すなわち、カバー体の傾き方向の外端側は、接地状態を維持しているが、カバー体の他方の外端側は、地面から大きく浮いてしまうため、作業者の足元に泥や石が飛散する惧れがある。
【課題を解決するための手段】
【０００５】
本発明は、上記の如き実情に鑑みこれらの課題を解決することを目的として創作されたものであって、エンジン及びハンドルを備える機体と、エンジン動力で回転駆動される車軸と、車軸に設けられる複数の耕耘爪と、耕耘爪の上方を覆うフェンダとを備える車軸耕耘型管理機であって、前記耕耘爪の後方を、上端側を支点として上下回動するカバー体で覆い、該カバー体を左右に分割すると共に、左右のカバー体を独立して回動させるにあたり、前記左右のカバー体の外端側を、上側ほど外側に傾く基準線に沿って後方に湾曲させることを特徴とする車軸耕耘型管理機である。このようにすると、機体を左右方向に傾けながら耕耘作業をする場合であっても、左右のカバー体がそれぞれ適正な回動位置を維持するので、足元保護部材としての機能を良好に果すことができる。
【発明を実施するための最良の形態】
【０００６】
次に、本発明の実施形態について、図面に基づいて説明する。図１及び図２において、１は車軸耕耘型管理機であって、該車軸耕耘型管理機１は、機体フレーム２にチェンケース３を前低後高状に傾斜させて配設すると共に、機体フレーム２の上部に動力源であるエンジン４を搭載している。
【０００７】
チェンケース３の上部及びエンジン４の左側面には、該エンジン４の動力をチェンケース３に伝達するベルト伝動機構（図示せず）と、これを覆うベルトカバー５が設けられている。また、エンジン４の上部には、ステー６を介して燃料タンク７を装着すると共に、この燃料タンク７の周囲を覆う樹脂製のエンジンカバー８を設けている。
【０００８】
チェンケース３の下部には、エンジン４から出力される動力によって駆動する車軸９が左右に突出しており、この車軸９には、複数の耕耘爪１０が設けられると共に、当該車軸９の左右両端には、円盤状の車輪１１をそれぞれ取り付けてある。
【０００９】
また、チェンケース３の後端部には、後方に向けて延出する作業機連結ヒッチ１２が一体的に連結されている。この作業機連結ヒッチ１２には、抵抗棒１３などの任意の作業機が連結される。また、エンジン４の下方には、回転する耕耘爪１０による泥や石の跳ね上がりを防止すべく、当該耕耘爪１０の上方を覆うフェンダ１４を設けている。
【００１０】
一方、チェンケース３の後部から後ろ上方に向けてハンドルフレーム１５を突設すると共に、このハンドルフレーム１５の先端部から機体後方に向けてハンドル１６Ｌ、１６Ｒを延設している。そして、左側のハンドル１６Ｌには、主クラッチレバー１７を設けると共に、右側のハンドル１６Ｒには、スロットルレバー１８を配設してある。
【００１１】
左右のハンドル１６Ｌ、１６Ｒは、ノブ付ボルト１９を介してハンドルフレーム１５に上下位置調整自在に取り付けてあり、車軸耕耘型管理機１を運転する作業者の体格や作業内容によって、適宜上下調節が行えるようになっている。
【００１２】
ところで、耕耘爪１０の上方を覆うフェンダ１４は、主として、回転する耕耘爪１０によって跳ね上げられる泥や石が、耕耘爪１０の上方にあるエンジン４にかかることを防止するために設けたものであって、車軸耕耘型管理機１を運転する作業者の足元を保護するためには、耕耘爪１０の後方を覆うカバー体２０を設ける必要がある。本発明は、このカバー体２０に特徴を有しており、以下、カバー体２０について図３〜図６を参照して詳細に説明する。
【００１３】
これらの図に示すカバー体２０は、耕深の変化などに追従するために、上端側を支点として上下回動自在となっている。例えば、本実施形態のカバー体２０は、蝶番２１を介してフェンダ１４の後端部に連結されており、蝶番２１の屈曲部を支点として上下に回動するようになっている。なお、図４及び図５において、２２はカバー体２０の取付板であって、該取付板２２には、蝶番２１の一端側が一体的に溶着されており、緊締金具２３を用いてチェンケース３及びフェンダ１４に対して共締めされると共に、緊締具２４を用いてフェンダ１４に固定されるようになっている。また、取付板２２の外端部には、ストッパ２２ａが折曲形成されており、該ストッパ２２ａによりカバー体２０の回動下限位置が規定され、カバー体２０と耕耘爪１０との接触が防止されるようになっている。
【００１４】
カバー体２０は、機体を左右方向に傾けながら耕耘作業をした場合に、傾き方向の外端位置を基準として上方に回動することになる。このとき、カバー体２０の傾き方向の外端側は、接地状態を維持しているが、カバー体２０の他方の外端側は、地面から浮くことがあり、この浮き上がりの量が大きい場合には、足元保護部材としての機能が低下し、作業者の足元に泥や石が飛散する可能性がある。
【００１５】
上記のような問題を解消するために、本発明の実施形態では、カバー体２０を左右に分割すると共に、左右のカバー体２０Ｌ、２０Ｒを独立して回動させるようにしてある。具体的には、左右のカバー体２０Ｌ、２０Ｒをそれぞれ蝶番２１を介してフェンダ１４に連結することにより、左右のカバー体２０Ｌ、２０Ｒが独立して回動できるようにしてある。このようにすると、機体を左右方向に傾けながら耕耘作業をする場合であっても、左右のカバー体２０Ｌ、２０Ｒがそれぞれ適正な回動位置を維持するので、地面から大きく浮き上がることなく、足元保護部材としての機能を良好に果すことができる。
【００１６】
また、本発明の実施形態に係るカバー体２０Ｌ、２０Ｒは、その外端側（湾曲部２０ａ）が後方に向けて湾曲形成されている。このようにすると、機体を左右方向に傾けながら耕耘作業をする場合に、カバー体２０Ｌ、２０Ｒの上方回動量が湾曲部２０ａによって抑制されるので、足元保護部材としての機能が低下するという問題が解消されるだけでなく、カバー体２０Ｌ、２０Ｒが上限位置まで回動することを防止し、カバー体２０Ｌ、２０Ｒの破損も回避できる。
【００１７】
また、本発明の実施形態に係るカバー体２０Ｌ、２０Ｒは、その外端側を後方に湾曲させるにあたり、上側ほど外側に傾く基準線Ｌに沿って湾曲させるようになっている。例えば、３０°程度の傾斜角を有する基準線Ｌに沿って、カバー体２０Ｌ、２０Ｒの外端側を後方に湾曲させる。このようにすると、機体を左右方向に傾けながら耕耘作業をする場合に、カバー体２０Ｌ、２０Ｒの上方回動量をより効果的に抑制することができる。
【００１８】
叙述の如く構成された本実施形態によれば、エンジン４及びハンドル１６を備える機体と、エンジン動力で回転駆動される車軸９と、車軸９に設けられる複数の耕耘爪１０と、耕耘爪１０の上方を覆うフェンダ１４とを備える車軸耕耘型管理機１であって、耕耘爪１０の後方を、上端側を支点として上下回動するカバー体２０で覆うにあたり、該カバー体２０を左右に分割すると共に、左右のカバー体２０Ｌ、２０Ｒを独立して回動させるようにしたので、機体を左右方向に傾けながら耕耘作業をする場合であっても、左右のカバー体２０Ｌ、２０Ｒがそれぞれ適正な回動位置を維持し、足元保護部材としての機能を良好に果すことができる。
【図面の簡単な説明】
【００１９】
【図１】車軸耕耘型管理機の平面図である。
【図２】車軸耕耘型管理機の側面図である。
【図３】車軸耕耘型管理機の要部を示す背面図である。
【図４】カバー体の取付構造を示す側面図である。
【図５】カバー体の取付構造を示すＡ矢視図である。
【図６】（Ａ）はカバー体の形状を示す背面図、（Ｂ）は側面図、（Ｃ）はＸ−Ｘ断面図である。
【符号の説明】
【００２０】
１      車軸耕耘型管理機
４      エンジン
９      車軸
１０    耕耘爪
１４    フェンダ
１６    ハンドル
２０Ｌ  カバー体
２０Ｒ  カバー体
２０ａ  湾曲部
２１    蝶番
【図１】
0005042720.tif 000002
【図２】
0005042720.tif 000003
【図３】
0005042720.tif 000004
【図４】
0005042720.tif 000005
【図５】
0005042720.tif 000006
【図６】
0005042720.tif 000007